(57)【要約】【課題】頻繁なメンテナンスの必要なしに、塵埃の量が十分に低減された空気の供給を可能にするフィルタ装置を提供する。【解決手段】塵埃を含む空気を吸入し、塵埃が低減された空気と、塵埃をより多く含む空気とに分離するフィルタ装置であって、前記塵埃を含む空気を軸方向に取り込み、遠心力によって遠心方向に送り出す、前記軸方向に長尺のファンと、前記ファンを収容するケーシングとを備えており、前記ケーシングが、前記塵埃を含む空気が吸入される吸入口と、前記塵埃が低減された空気が吐出される吐出口と、前記塵埃をより多く含む空気が排出される排出口とを有しており、前記吸入口が、前記ファンの軸方向の一方の端部側に設けられており、前記吐出口が、前記一方の端部とは反対側の他方の端部側に配置されており、前記排出口が、前記ファンの軸方向において、前記吸入口と前記吐出口との間に配置されている。【選択図】図１
2017159266.tif 000002
【特許請求の範囲】
【請求項１】
塵埃を含む空気を吸入し、塵埃が低減された空気と、塵埃をより多く含む空気とに分離するフィルタ装置であって、
前記塵埃を含む空気を軸方向に取り込み、遠心力によって遠心方向に送り出す、前記軸方向に長尺のファンと、
前記ファンを収容するケーシングとを備えており、
前記ケーシングが、前記塵埃を含む空気が吸入される吸入口と、前記塵埃が低減された空気が吐出される吐出口と、前記塵埃をより多く含む空気が排出される排出口とを有しており、
前記吸入口が、前記ファンの軸方向の一方の端部側に設けられており、前記吐出口が、前記一方の端部とは反対側の他方の端部側に配置されており、前記排出口が、前記ファンの軸方向において、前記吸入口と前記吐出口との間に配置されている、フィルタ装置。
【請求項２】
前記ファンと前記ケーシングとの間に形成される空間に、前記ファンの軸方向と交わるように配置されている仕切部材を備えており、
前記仕切部材が、前記ファンの軸方向において、前記吐出口と前記排出口との間に位置している、請求項１に記載のフィルタ装置。
【請求項３】
前記仕切部材が、前記ファンの内部の空間の一部を、前記ファンの軸方向と交わるように前記ファンの内部に突出している、請求項２に記載のフィルタ装置。
【請求項４】
前記仕切部材が、中央に穴が設けられた平板の形状である、請求項２又は３のいずれか一項に記載のフィルタ装置。
【請求項５】
前記ファンを複数備えており、前記複数のファンが直列に接続されている、請求項１から４のいずれか一項に記載のフィルタ装置。
【請求項６】
前記一方の端部側に配置されたファンの吸気径が、前記他方の端部側に配置されたファンの吸気径より大きい、請求項５に記載のフィルタ装置。
【請求項７】
請求項１から６のいずれか一項に記載のフィルタ装置を外部に装着した機器。
【請求項８】
前記フィルタ装置の前記吐出口から吐出される空気を吸気して前記機器内に通気させることによって前記機器の冷却を行う、請求項７に記載の機器。
【請求項９】
画像投射装置である、請求項８に記載の機器。
【発明の詳細な説明】
【技術分野】
【０００１】
本発明は、フィルタ装置、及びフィルタ装置を備えた機器に関する。
【背景技術】
【０００２】
従来、画像投射装置等の機器において、塵埃を捕捉するエアフィルタを吸気口に設けることによって、機器内に入る塵埃を減らすことが知られている。
【０００３】
また、二股分岐構造のダクトを備えたバイパスブロアを機器内部に設け、塵埃がより多く含まれる空気を分離し、塵埃の量が低減された空気を機器内に供給することで、機器内の構成要素が塵埃から受ける影響を減らすことが知られている（例えば、特許文献１）。
【発明の概要】
【発明が解決しようとする課題】
【０００４】
しかしながら、塵埃を捕捉する上記のエアフィルタは、一定期間を超えて使用すると目詰まりして空気を通さなくなるので、交換、清掃といった頻繁なメンテナンスが必要となる。
【０００５】
また、特許文献１の構成は、塵埃を含む周囲空気を機器内に取り込んだ後に内部で塵埃の分離を行うものであるため、塵埃が機器内で拡散して機器内の構成要素の性能に悪影響を及ぼすことがある。さらに、特許文献１のバイパスブロアによる塵埃の分離は十分とは言えなかった。
【０００６】
上記の点に鑑みて、本発明の一態様においては、頻繁なメンテナンスの必要なしに、塵埃が十分に低減された空気の供給を可能にするフィルタ装置を提供することを課題とする。
【課題を解決するための手段】
【０００７】
上記課題を解決するために、本発明の一態様は、塵埃を含む空気を吸入し、塵埃が低減された空気と、塵埃をより多く含む空気とに分離するフィルタ装置であって、前記塵埃を含む空気を軸方向に取り込み、遠心力によって遠心方向に送り出す、前記軸方向に長尺のファンと、前記ファンを収容するケーシングとを備えており、前記ケーシングが、前記塵埃を含む空気が吸入される吸入口と、前記塵埃が低減された空気が吐出される吐出口と、前記塵埃をより多く含む空気が排出される排出口とを有しており、前記吸入口が、前記ファンの軸方向の一方の端部側に設けられており、前記吐出口が、前記一方の端部とは反対側の他方の端部側に配置されており、前記排出口が、前記ファンの軸方向において、前記吸入口と前記吐出口との間に配置されていることを特徴とする。
【発明の効果】
【０００８】
本発明の一態様によれば、頻繁なメンテナンスの必要なしに、塵埃が十分に低減された空気の供給を可能にするフィルタ装置を提供することができる。
【図面の簡単な説明】
【０００９】
【図１】本発明の一態様によるフィルタ装置を示す図である。
【図２】本発明の一態様によるフィルタ装置を示す図である。
【図３】本発明の一態様によるフィルタ装置を示す図である。
【図４】本発明の一態様におけるファンを示す斜視図である。
【図５】本発明の一態様におけるファンを示す斜視図である。
【図６】本発明の一態様による電子機器の一例を示す図である。
【図７】本発明の一態様によるフィルタ装置の機器への装着を示す図である。
【図８】本発明の一態様によるフィルタ装置の機器への装着を示す図である。
【図９】本発明の一態様によるフィルタ装置の機器への装着を示す図である。
【発明を実施するための形態】
【００１０】
以下、本発明の実施態様について、図面を参照しながら説明する。
【００１１】
図１は、本発明の一態様によるフィルタ装置の長手方向に沿った断面図であり、この図１により、フィルタ装置の構成及び機能を概略的に説明する。
【００１２】
フィルタ装置１００は、塵埃を含む空気を吸入し、塵埃が低減された空気と塵埃をより多く含む空気とに分離するものである。このフィルタ装置１００は、塵埃を含む空気を軸方向に取り込み、遠心力によって遠心方向に送り出す、前記軸方向に長尺のファン２０と、ファン２０を収容するケーシング３０とを備えている。ケーシング３０は、塵埃を含む空気が吸入される吸入口５０と、塵埃が低減された空気が吐出される吐出口６１と、塵埃をより多く含む空気が排出される排出口６２とを有している。そして、吸入口５０が、ファン２０の軸方向の一方の端部側に設けられており、吐出口６１が、一方の端部とは反対側の他方の端部側に配置されており、排出口６２が、ファン２０の軸方向において、吸入口５０と吐出口６１との間に配置されている。
【００１３】
フィルタ装置１００内では、ファン２０の軸を中心とする回転によって、ファン２０の軸方向に空気を取り込み（吸気し）、遠心力によって遠心方向に空気を送り出す（排気する）流れが作り出される。
【００１４】
通常、空気中には大小様々の重さの埃１が含まれているが、そのような埃１を含む未処理の空気（塵埃を含む空気）は、吸入口５０を通じて、ファン２０が空気を取り込む流れ（軸方向の流れ）に乗ってファン２０の内部へと取り込まれる。この取り込まれた空気中に含まれる塵埃のうち比較的重い埃２には比較的大きな遠心力が作用するので、このような比較的重い埃２は、空中を浮遊し続けることが難しい。そのため、ファン２０の回転の中心である軸部から半径方向外側に向けた空気の流れ（遠心方向の流れ）に乗って、ケーシング３０の吸入口５０が設けられている端部に比較的近い位置で、ファン２０の外部へと排出される。
【００１５】
比較的重い埃２よりも軽いが中程度の重さを有する埃３に作用する遠心力は、上記の比較的重い埃２に比べて小さい。そのため、中程度の重さを有する埃３はより長時間の空中浮遊が可能であり、ファン２０内部で、ファン２０が空気を取り込む方向に沿ってより下流まで（吐出口６１が設けられている端部により近い位置まで）進む。しかし、吐出口６１が設けられている位置まで到達する前に、比較的重い埃２と同様に、遠心力の作用によりファン２０の外部へと排出される。その結果、吐出口６１からは、中程度の重さを有する埃３に比べて比較的軽い埃４及び微小な埃５を含む空気（塵埃が低減された空気）を吐出させることができる。
【００１６】
なお、上記の比較的重い埃２、中程度の重さの埃３、比較的軽い埃４、微小な埃５といった埃の分類は、フィルタ装置の機能の説明を容易にするためのものであり、本発明の一態様によるフィルタ装置１００によって除去又は吐出される塵埃の大きさや重さを限定するものではない。
【００１７】
フィルタ装置１００においては、塵埃を含む空気が吸入される吸入口５０と、塵埃が低減された空気が吐出される吐出口６１とは、長尺のファン２０の軸方向（回転軸の延びる方向）の互いに反対側の端部に設けられている。つまり、吸入口５０と吐出口６１とは、ファン２０の軸方向（フィルタ装置１００の長手方向）において間隔を置いて配置されている。
【００１８】
吸入口５０及び吐出口６１が上記のように配置されていることによって、遠心力の作用が比較的小さいために吸入口５０近くでは外部に排出されなかった埃や塵があっても、ファン２０の軸方向を上流から下流へと（吐出口６１が設けられている端部側へと）進む間に更なる遠心力の作用を受け得る。つまり、フィルタ装置１００においては、吸入口５０から吸入された塵を含んだ空気は、吐出口６１に到達するまでに処理されることが可能となる。よって、特許文献１のバイパスブロアのような構成に比べて、効率良く空気中の塵埃を除去又は低減することができる。
【００１９】
また、フィルタ装置１００は、塵埃をより多く含む空気を排出する排出口６２を備えており、この排出口６２は、ファン２０の軸方向（フィルタ装置１００の長手方向）において、吸入口５０と吐出口６１との間に配置されている。つまり、吐出口６１及び排出口６２も、ファン２０の軸方向（フィルタ装置１００の長手方向）において互いにずらされて配置されている。これにより、塵埃を含む空気が分離された後、塵埃が低減された吐出空気と、塵埃をより多く含む空気とを確実に分離して排出することができる。
【００２０】
このようにして、フィルタ装置１００によって、塵埃を含む周囲空気から塵埃が十分に低減された空気を分離して、吐出口６１から供給することができる。ここで、フィルタ装置１００によって、空気中に含まれる塵埃の重量が十分に低減されるのはもちろん、供給される空気中に含まれる塵埃のサイズ（粒径）も低減され得る。
【００２１】
また、本発明の一態様によるフィルタ装置１００は、塵埃を捕捉して蓄積する不織布や網のようなエアフィルタとは異なり、定期的な交換、清掃といったメンテナンスを必要としない。
【００２２】
本発明の一態様によるフィルタ装置１００では、ファン（送風機）２０の回転を利用して、塵埃を含む空気から、塵埃が低減された空気を分離して吐出する。ファン（送風機）２０は、上述のように、吸入口５０から取り込まれた塵埃を含む空気を軸方向から吸入し、遠心力によって遠心方向に排出することができる。このように、ファン２０の回転によって、フィルタ装置１００内に、軸方向の空気流と半径方向の空気流とを作り出すことができる。
【００２３】
ファン（送風機）２０は、空気を軸方向から取り入れ、遠心力によって遠心方向に送り出すものであれば、その形式は限定されない。ファン２０は、空気を軸方向から取り入れ、軸方向に対して垂直な方向に送り出すものであってよい。また、空気を軸方向から取り入れ、軸方向に対して垂直な方向と軸方向との間の方向に送り出すもの（軸方向に対して斜めに空気を排出するもの）であってもよい。
【００２４】
ファン２０の例としては、シロッコファン（多翼ファン）、ターボファン（後向きファン）等のいわゆる遠心力ファン（幅流ファン）、斜流ファンを挙げることができる。中でも、高い静圧を発生できることから、シロッコファンを用いることが好ましい。これにより、高い効率で、塵埃が低減された空気を分離して供給することができる。
【００２５】
ファン２０は、風を切る複数の羽根を有しており、ファン２０の軸にはモータ部２３が接続されている。モータ部２３からの動力によってファン２０が回転することで、回転の中心（軸）から半径方向外側に向けて空気の流れが作り出される。モータ部２３は、ファン２０が空気を取り入れる方向の下流側に設けられており、後述するケーシング３０の一方の端部に取り付けられていてよい。ファン２０は、後述するケーシング３０内で回転自在に配置されている。
【００２６】
また、フィルタ装置１００に用いられるファン２０は軸方向に長尺である、つまり、ファン２０の軸方向の長さはファン２０の外直径より大きい。これにより、ファン２０の内部をファンの軸方向（フィルタ装置１００の長手方向）に移動する塵埃に対して、十分な遠心力を作用させることができる。なお、後述するようにファンを直列に接続して複数使用する場合には、上記のファン２０の軸方向の長さは、接続された後の全長を指す。
【００２７】
ファン２０が軸方向に長尺なものであれば、ファン２０の軸方向の長さと外直径との比は、設置場所及び設置条件に応じて適宜設定することができる。
【００２８】
本発明の一態様のフィルタ装置１００は、長尺のファン２０を取り囲んでファン２０を収容する長尺のケーシング３０を備えている。ケーシング３０の長手方向は、ファン２０の軸方向と同じ方向となるように構成することができる。
【００２９】
ケーシング３０は、ファン２０と同軸に構成することができる。また、ケーシング３０の内輪郭形状は、円筒形状とすることができるが、収容されるファン２０の機能が発揮されるものであれば任意の形状とすることができる。ケーシング３０の外輪郭形状も、収容されるファン２０の回転を妨げない形状であれば任意の形状とすることができる。外輪郭形状は円筒形状であってもよいし、それ以外の形状、例えば角柱形状であってもよい。
【００３０】
ケーシング３０には、塵埃を含む外気が吸入される吸入口５０と、塵埃が低減された空気が吐出される吐出口６１と、塵埃をより多く含む空気が排出される排出口６２が設けられている。吸入口５０と吐出口６１とは、ケーシング３０の長手方向において互いに反対側の端部に配置されている。
【００３１】
吸入口５０は、例えば、ケーシングの３０の長手方向の一方の端部の端面に形成されていてよい。吸入口５０は任意の形状を有していてよいが、ファン２０と同軸の円形とすることができる。その場合、吸入口５０の径は、ファン２０の吸気を妨げない任意の大きさとすることができるが、ファン２０の吸気径とほぼ同じ径を有するようにしてもよい。
【００３２】
吐出口６１は、ケーシング３０の長手方向において、吸入口５０が設けられている端部とは反対側の端部の側面に設けられていてよい。
【００３３】
フィルタ装置１００を画像投射装置等の機器に取り付ける場合には、吐出口６１の大きさ及び形状は、機器の吸気口の大きさ及び形状に対応するように構成することができる。
【００３４】
また、排出口６２は、吸入口５０と吐出口６１との間に、ケーシング３０の側面に配置されていてよい。つまり、排出口６２は、ファン２０内部を流れる空気の流れ方向において吐出口６１より上流側に位置させることができる。
【００３５】
排出口６２は、ファン２０の軸を挟んで吐出口６１に対向するケーシング側面に設けることができる。また、吐出口６１から吐出される塵埃が低減された空気との分離が確実に行われるのであれば、排出口６２をケーシング３０の周面にわたって複数形成し、塵埃をより多く含む空気を、ファン２０の半径方向外側に放射状に排出するよう構成されていてもよい。
【００３６】
本発明の一態様によるフィルタ装置１００は、ファン２０とケーシング３０との間に形成される空間に仕切部材４０を備えていてよい。この仕切部材４０は、ファン２０の軸方向と交わるように配置することができる。
【００３７】
図２及び図３に、仕切部材４０を備えたフィルタ装置１００の態様の例を示す。
【００３８】
仕切部材４０は、ファン２０とケーシング３０との間に形成される、ファン２０の外輪郭を取り囲む空間を、ファン２０の軸方向に仕切るように配置されていてよい。例えば、ファン２０とケーシング３０との間に形成される空間を、ファン２０の軸方向と直交する方向に仕切るように設けられていてよい。
【００３９】
フィルタ装置１００のファン２０とケーシング３０との間に形成される空間においては、ケーシング３０に沿って、吸入口５０が設けられた端部から吐出口６１が設けられている端部に向かって空気が流れている（例えば、図２の符号９、１０の矢印で示される流れが生じている）。そのため、ファン２０の外側に排出された埃の中には、排出口６２からフィルタ装置１００の外へ排出されず、吐出口６１の位置まで流れて運ばれていくものもある。
【００４０】
しかし、仕切部材４０を設けて、ファン２０とケーシング３０との間に形成される空間においてファン２０の軸方向の空気の流れを妨げることによって（例えば、図２の符号９、１０の矢印で表示）、ファン２０の外側に排出された埃が吐出口６１に到達することを防ぐことができる。仕切部材４０によって、吐出口６１の側へ向かう移動が妨げられた埃は、排出口６２から排出される。
【００４１】
この構成により、例えば、図２及び図３に示すような比較的軽い埃４も、ファン２０が作り出す遠心方向の空気の流れに乗って排出口６２から排出させることができ、微小な埃５をわずかに含む空気（塵埃が低減された空気）を得ることができる。なお、このような微小な埃５は、一般のフィルタであっても除去できないような小さな埃である。
【００４２】
このように、仕切部材４０をフィルタ装置１００に設けることによって、空気中の塵埃を低減する効果をより顕著に奏するフィルタ装置１００を得ることができる。
【００４３】
仕切部材４０は、フィルタ装置１００の長手方向において一箇所に設けられていてもよく、複数の箇所に設けられていてもよい。仕切部材４０が複数の箇所に設けられている場合には、ファン２０とケーシング３０との間に形成される空間における上流から下流への埃の流れを阻止する作用がより高くなるので、塵埃がさらに十分に低減された空気を吐出口６１から供給することが可能になる。図２及び図３には、フィルタ装置１００の長手方向において二箇所に仕切部材４０が配置された構成を示す。
【００４４】
仕切部材４０は、ファン２０とケーシング３０との間に形成される空間を軸方向で分割するように、ファン２０の周方向に連続して延びる環状の部材であってよい。また、ファン２０の周方向に延びる板状の部材であってよい。仕切部材４０には、ファン２０の周方向に切欠き又は穴が形成されていてもよい。
【００４５】
仕切部材４０は、ファン２０の軸方向において、吐出口６１が開口している位置よりも吸入口５０側に設けられていてよい。例えば、ファン２０の軸方向において、吐出口６１が開口している領域と重複しない位置に設けられている。また、仕切部材は、排出口６２と吐出口６１との間に位置していてよい。
【００４６】
複数の仕切部材４０が設けられている場合には、吐出口６１側に最も近い仕切部材４０が、吐出口６１が開口している位置よりも吸入口５０側であり、吐出口６１が開口している領域と重複しない位置に設けられていてよい。また、吐出口６１側に最も近い仕切部材４０が、排出口６２と吐出口６１との間に位置するよう配置されていてよい。
【００４７】
仕切部材４０は、ファン２０に支持されていてもよく、ケーシング３０に支持されていてもよい。
【００４８】
仕切部材４０がファン２０に支持されている場合、仕切部材４０は、ファン２０の外輪郭から半径方向外側へ（ケーシング３０に向かって）突出する部材であってよい。その場合、仕切部材４０は、ファン２０の羽根の半径方向外側の端部の少なくとも一部に接着又は固着された部材とすることができる。また、仕切部材４０は、ファン２０の羽根と一体となっていてもよい。
【００４９】
一方、仕切部材４０がケーシング３０に支持されている場合には、ケーシング３０の内表面からファン２０に向かって突出する部材とすることができる。その場合、仕切部材４０は、ケーシング３０の内表面に沿ってファン２０の周方向に延在する環状の部材であってよい。その場合、仕切部材４０の外周縁の一部又は全部が、ケーシング３０の内表面と固着（接着）されていてよい。また、仕切部材４０は、ケーシング３０と一体的に成形されていてもよい。
【００５０】
仕切部材４０がケーシング３０に支持されている場合、ケーシング３０の内表面から、ファン２０の羽根の半径方向外側の端部からわずかに離れた位置まで延びていてもよい。また、ファン２０の羽根の半径方向外側の端部と接触していてもよい。
【００５１】
仕切部材４０は、ファン２０の内部の空間の一部を、ファン２０の軸方向と交わるように、ファン２０の内部に突出していてもよい。図３に、仕切部材４０がファン２０の内部にも突出している態様の例を示す。
【００５２】
仕切部材４０がファン２０の内部に設けられていることで、ファン２０の内部においても、ファン２０の軸方向（フィルタ装置１００の長手方向）の上流から下流への流れを妨げることが可能となり、ファン２０内部の空気の流れを変えることができる。例えば、ファン２０の内周面近くの流れが妨げられ、本来はファン２０の内周面に沿って軸方向に上流から下流へと流れる空気を、半径方向外側に流れるようにすることができる（例えば、図３の符号７、８の矢印で示される空気の流れが生じる）。
【００５３】
このように、仕切部材４０をファン２０の内部にも突出させた構成とすることにより、ファン２０の内部の埃が、吐出口６１が設けられている側の端部（モータ部２３が設けられた端部）の側に侵入することを軽減できる。これにより、塵埃が十分に低減された空気の供給を可能にするという効果が一層高まる。
【００５４】
図３の態様では、仕切部材４０は、ファン２０の軸方向において、ファン２０の外輪郭から突出している位置と同じ位置で、ファン２０の内部に突出している。この場合、ファン２０の外部に突出する部分とファン２０の内部に突出する部分とを別個の部材として構成することもできるし、ファン２０の外部に突出する部分とファン２０の内部に突出する部分とを含む一体の仕切部材４０を形成することもできる。
【００５５】
また、図３の態様とは異なり、仕切部材４０が、ファン２０の外輪郭から突出する位置とは異なる位置で、ファン２０の内部に突出していてもよい。さらに、仕切部材４０は、上述のようにケーシング３０に支持された仕切部材と、ファン２０の内部に突出した仕切部材との組合せとすることもできる。
【００５６】
仕切部材４０の材料としては、ファン２０と同じ材料を使用することができるし、ケーシング３０と同じ材料を使用することができる。また、仕切部材４０の材料は、ゴムや樹脂等の弾性体であってもよい。これにより、ファン２０の円滑な回転を可能にし、仕切部材４０とケーシング３０とが接触した場合、又は仕切部材４０とファン２０とが接触した場合であっても、部材の損傷を防止又は軽減することができる。
【００５７】
なお、本発明の一態様では、フィルタ装置１００がファン２０を複数備えていてもよい。また、複数のファンを直列に接続して使用することができる。接続して使用されるファンの数は、２〜４とすることができる。
【００５８】
図４及び図５に、ファン２０を３つ使用した場合の態様の斜視図を示す。
【００５９】
複数のファン２０を使用する場合、ファンは互いに同じであってもよく、互いに異なっていてもよい。互いに異なる複数のファン２０を使用する場合には、ファン全体のサイズ、材質、吸気径、回転数、空気の吐出方向、並びに羽根の数、サイズ、形状及び配置角度等のうち少なくとも一つが互いに異なるものを用いてもよい。
【００６０】
例えば、ファンが空気を吸入する方向で上流側に配置されたファンの吸気径を、下流側に配置されたファンの吸気径より大きいものとすることもできる。この構成により、吸気効率を改善することができる。
【００６１】
複数のファン２０を使用する場合には、ファンの内部において、一つのファン２０から隣り合う別のファン２０へと軸方向に空気が流れるように構成されているとよい。具体的には、最も上流に設けられたファン（軸方向における吸入口５０側のファン）から最も下流に設けられたファン（軸方向における吐出口６１側のファン）まで空気が流れて、ファン２０の内部が連通するように構成することができる。
【００６２】
ファン２０が複数設けられている場合には、仕切部材４０は、ファンの間に挟まれて保持される板状の部材とすることができる。例えば、仕切部材４０を、図４及び図５に示すように、中央に開口又は穴が設けられたドーナツ形状の平板の形状とすることができる。
【００６３】
仕切部材４０がファン２０に支持されている場合、ファン２０から半径方向外側に向かって、ケーシング３０の内表面からわずかに離れる位置まで延びていてもよい。また、ケーシング３０の内表面に接触していてもよい。
【００６４】
本発明の一態様によるフィルタ装置１００は、作動に際して空気の取込みを要する機器のための空気供給部として使用することができる。フィルタ装置１００は、そのような機器の外部に装着することができるし、機器の内部に組み込んだ形態で使用することもできる。機器の外部に装着する場合には、フィルタ装置１００は、機器に堅く固定されてもよいし、着脱可能に装着されてもよい。
【００６５】
フィルタ装置１００が装着される機器としては、例えば、画像投射装置（プロジェクタ）、パソコン（一般家庭で用いられるものを含む）等の電子機器、特に、外部から空気を吸気して機器内に通気させることによって機器内の冷却を行う機器、例えば、機器内に冷却ファンが設けられているものが挙げられる。
【００６６】
そのような機器においては、外部空気に含まれる塵や埃が機器内の要素に付着又は侵入して、要素の機能を損ねることがある。しかし、機器内に空気が流入する前に強制的に埃を排除してしまえば、機器内に埃が侵入することはない。よって、本発明の一態様によるフィルタ装置１００を用いることで、塵埃が十分に低減された空気を機器内に供給することが可能となる。
【００６７】
図６に、フィルタ装置１００が装着される電子機器の一例を示す。図６は、画像投射装置５００を水平方向で切った断面を上から見た図である。図６では、画像投射装置５００の構造を示すと共に、画像投射装置５００内を流れる気流を矢印で示す。
【００６８】
図６によれば、吸気口５８０付近の冷却ファン５１０によって取り込まれた周囲空気が、その一部は遠心力ファン５２０によりルートを変えながら、ＤＭＤ放熱板５６０、ランプブロック５５０、電源回路５７０の各要素を冷却しているのが分かる。そして、最終的には、排気ファン５３０、５４０によって筐体外に排気される。
【００６９】
図６に示す機器においては、いずれの気流も吸気口５８０より吸気されているのが明らかである。よって、本発明の一態様によるフィルタ装置１００を、図６に示す画像投射装置５００に装着する場合には、画像投射装置５００の吸気口５８０に、フィルタ装置１００の吐出口６１が対応するように取り付ける（図７）。
【００７０】
図８に、本発明の一態様によるフィルタ装置１００を画像投射装置５００へ装着形態の一例を示す。図８では、画像投射装置５００の吸気口５８０に、フィルタ装置１００の吐出口６１が対向するように位置合わせされている。この場合、画像投射装置５００の吸気口５８０に吐出口６１からの空気（塵埃が低減された空気）が吸入され、周囲の空気（塵埃を含む空気）及び排出口６２からの空気（塵埃を多く含む空気）は吸入されないようになっている。
【００７１】
フィルタ装置１００は、画像投射装置５００のような機器に対して、接着、ビス止め等により装着することもできるし、ケーシング３０及び機器のいずれか一方又は両方の外輪郭形状を変更して嵌合により装着できるように構成することもできる。図８の例では、フィルタ装置１００のケーシング３０の、画像投射装置５００に対向する側面に環状の部材を形成し、この部材が画像投射装置５００の側面の形状に適合するようになっている。
【００７２】
フィルタ装置１００の吸入口５０から塵埃を含む空気が吸入され、フィルタ装置１００内で処理された後、塵埃が除去又は低減された空気が吐出口６１から吐出される。そして、この吐出口６１から吐出された塵埃が除去又は低減された空気が、画像投射装置５００の吸気口５８０に送られる。
【００７３】
さらに、図９に、フィルタ装置１００を装着した画像投射装置５００の一例を示す。
【００７４】
図９では、ケーシング３０の側面に、ケーシング３０の側面の表面積の半分以上を占める面積で開口している排出口６２が設けられている。
【００７５】
排出口６２は、吐出口６１よりも大きな面積を有していてよい。排出口６２は、図９に示すように複数の開口に分割することができる。これにより、ケーシング３０の強度を担保することができる。吐出口６１も、同様に分割した構造とすることができる。
【００７６】
なお、吸入口５０、吐出口６１、排出口６２の各開口からケーシング３０の内部に収容された要素へのアクセスを防ぐために、吸入口５０、吐出口６１、排出口６２の各開口には、格子や網等の部材を配置しておくこともできる。
【００７７】
図９においては、フィルタ装置１００が水平な状態で画像投射装置５００に装着されているが、装着形式はこれに限定されない。フィルタ装置１００は、フィルタ装置１００の長手方向が鉛直方向となるように装着することができる。また、フィルタ装置１００を斜めに、例えば、吐出口６１が設けられている端部が、吸入口５０が設けられている端部より高くなるように装着することもできる。
【符号の説明】
【００７８】
１  大小様々の重さの埃
２  比較的重い埃
３  中程度の重さの埃
４  比較的軽い埃
５  微小な埃
７、８、９、１０、１１  空気流の方向
２０  ファン
２３  モータ部
３０  ケーシング
４０  仕切部材
５０  吸入口
６１  吐出口
６２  排出口
１００  フィルタ装置
５００  画像投射装置
【先行技術文献】
【特許文献】
【００７９】
【特許文献１】特開第２０１４−４８３５４号公報
【図１】
2017159266.tif 000003
【図２】
2017159266.tif 000004
【図３】
2017159266.tif 000005
【図４】
2017159266.tif 000006
【図５】
2017159266.tif 000007
【図６】
2017159266.tif 000008
【図７】
2017159266.tif 000009
【図８】
2017159266.tif 000010
【図９】
2017159266.tif 000011